(57)【要約】【課題】コンクリートによる目づまりＰコンは全体の２％〜２０％発生するが、除去を容易にする工学的技術の配慮は４０数年間なかった。このため１日の作業時間の１０分の１から３分の１ほどを目づまりＰコンを除去するために割かなくてはならない。この作業時間を短縮させる。【解決手段】Ｐコン軸のせき板孔貫通部分にスパナ掛け部を設けた。６角軸タイプと横断面が長円形軸タイプの２種類。いづれも目づまりＰコンの除去時間は従来の１０分の１以下になる。【選択図】図１
2008196297.tif 000002
【特許請求の範囲】
【請求項１】
コンクリートによる目づまりＰコンを除去するために軸部のせき板貫通部分にスパナ掛けを設けたＰコン。
【請求項２】
上記請求項１記載のＰコンにおいてスパナ掛けの部分の断面はＰコンの軸の円形に外接する正方形で、その一辺の寸法は多くの型枠解体工が常用しているホームタイスパナの１０ｍｍ口径部分よりいくぶん小さく、Ｐコン軸のせき板貫通部分の直径９ｍｍよりもやや大きい。スパナを回転させることによって対角線方向の長辺の角がスパナと噛み合うように形成されている。スパナを入れやすい、確実に噛み合う、スパナを抜きやすいことを考慮してスパナ掛けの部分が形成されていることを特徴とするＰコン。
【発明の詳細な説明】
【技術分野】
【０００１】  型枠保持部材のＰコンに関するもので、詳しくは、軸部に除去用のスパナ掛けを設けて目づまりＰコンの除去時間を１０分の１にするものである。
【背景技術】
【０００２】  木コン、Ｐコンが型枠保持部材として登場して４０年以上になるが、コーンの内部にコンクリートが流入して目づまり状態になったＰコンを除去するための工学的技術の配慮はなかった。【０００３】  生コンクリート打設時にかけるバイブレーターの振動でホームタイがゆるみ、せき板とプラスチックコーンの間にすき間ができてコーンの内部にコンクリートが流入して目づまりの状態になるＰコンが全体の２％から２０％くらいある。通常のＰコンは電動インパクトレンチをコーンの内部にさしこんで１コあたり５〜１０秒前後で取って袋に収納する。しかし、コンクリートによって目づまりをしたＰコンはポンチや小バールをコーン内部にハンマーでかちこんでコンクリートをとり除き手動式のＰコンレンチをさしこんで手作業で除去しなければならない。時間がかかる。【０００４】  解体工の中には、目づまりＰコンの軸をハンマーでたたき折ったり軸をたたき曲げて回転させて除去をする者もいるが、この方法もわりと時間がかかる。軸を折りとるとプラスチックコンが壁の中にのこり金属軸部分のコンクリートかぶりも浅くなるので壁内のサビの進行が早くなる可能性がある。【０００５】  また、自在口径式のクイックレンチで軸をつかんで回し取る方法もあるが、市販されているＰコン用クイックレンチはＰコンを４コか５コとると歯が磨滅して使いものにならなくなる。現在のＰコンは軸が丸いので空まわりをする。解体工でこれを使用する者はほとんどいない。
【発明の開示】
【発明が解決しようとする課題】
【０００６】  以上にのべた従来の目づまりＰコンの除去方法では、解体工が１日中、Ｐコンの除去作業のみを行なった場合、全体の２％〜２０％の目づまりＰコンを除去するのに１０分の１から３分の１人工を割かなければならない。解体工の３分の１人工を他の作業に換算すると３ＤＫマンションの一所帯分の型枠パイプ、ホームタイ、サポート、チェーンの解体と整理をする人工に相当する。【０００７】  本発明は従来の目づまりＰコン除去方法が有していた作業時間がかかりすぎる問題を解決するものである。
【課題を解決するための手段】
【０００８】  本発明はＰコンの軸のせき板貫通部分に解体工が常用しているホームタイスパナの１０ｍｍ口径部分が掛けられるよう断面が正方形のスパナ掛けを設けたものである。
【発明の効果】
【０００９】  本発明の軸のせき板貫通部分にスパナ掛けがあるＰコンは、目づまりＰコンの除去の作業の時間が従来の１０分の１から２０分の１ほどに短縮できる。【００１０】  Ｐコンの軸にスパナ掛けを設けるだけで１日あたり、３ＤＫマンションのパイプ、ホームタイ、サポート、チェーンを解体整理するのに相当する人工の利益があがる計算になる。【００１１】  また、打ち放しコンクリートの壁面に目づまりＰコンがあっても壁面を破損することなく迅速に除去することができる。
【発明を実施するための最良の形態】
【００１２】  本発明の実施の形態を図にもとづいて説明する。【００１３】  図１は、Ｐコン軸を斜め上から見た図であるが、１は軸がせき板を貫通する部分で、ここにホームタイスパナの１０ｍｍ口径部分が掛けられるように軸の断面形状を正方形にする。【００１４】  図２はスパナ掛けの部分の断面図であるが、円形軸に外接する正方形でその一辺の寸法はホームタイスパナの１０ｍｍ口径部分よりもいくぶん小さく、軸の直径９ｍｍよりやや大きい。スパナを回転させることによって対角線方向の長辺の角がスパナと噛み合うように形成されている。スパナを入れやすい、確実に噛み合う、スパナを抜きやすいことを考慮した寸法にする。【００１５】  スパナ掛けの部分の断面形状を６角形にするとコンクリートがＰコンを圧迫する力が大きい場合、小口径に大きな回転力を集中して加えることになるので６角が磨滅してスパナが効かなくなる可能性がある。また長円形だと２方向からしかスパナを入れられないが、正方形なら４方向から入れることができる。正方形の方が６角形よりも耐力性と耐久性が高い。
【図面の簡単な説明】
【００１６】
【図１】本発明の実施形態を示す、せき板貫通部分の軸にスパナ掛けを設けたＰコンの斜視図
【図２】スパナ掛けの部分の断面。
【符号の説明】
【００１７】１  せき板貫通部分にスパナ掛けを設けた軸
２  ホームタイとの接合ネジ部
３  プラスチックコーン
ＡとＢ  スパナ入れ方向と対角方向の寸法
【図１】
2008196297.tif 000003
【図２】
2008196297.tif 000004
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
コンクリートによる目づまりＰコンを除去するために軸部のせき板孔貫通部分にスパナ掛け部を設けたＰコン。
【請求項２】
上記請求項１記載のＰコンにおいてスパナ掛け部は６角軸形状。直径８ｍｍのＰコン軸は解体工が常用するホームタイスパナの口径８ｍｍ部が掛けやすいように、６角軸の直径を８ｍｍよりやや細くし、また直径９ｍｍのＰコン軸はスパナの１０ｍｍ口径部が掛かるように６角軸の直径を９ｍｍよりやや太くする。しかしホームタイスパナに９ｍｍ口径部を新設すれば９ｍｍ軸を太くせずに６角軸を形成しせき板孔を通しやすくできる、以上の特徴を持つ６角軸形状のスパナ掛け部付きＰコン。
【請求項３】
上記、請求項１記載のＰコンにおいてスパナ掛け部の横断面は長円形状。口径７ｍｍまたは８ｍｍのスパナが掛かるように従来のＰコン軸の直径８ｍｍまたは９ｍｍをへこませてその分を横にひろげて強度を確保して軸を回転できるようにする。以上の特徴をもつ横断面長円形のスパナ掛け部付きＰコン。
【手続補正２】
【補正対象書類名】明細書
【補正対象項目名】全文
【補正方法】変更
【補正の内容】
【発明の詳細な説明】
【技術分野】
【０００１】    型枠保持部材のＰコンに関するもので詳しくは軸部に除去用のスパナ掛け部を設けて目づまりＰコンの除去時間を従来の１０分の１以下にするものである。
【背景技術】
【０００２】    木コン、Ｐコンが型枠保持部材として登場して４０年以上になるがコーンの内部にコンクリートが流入して目づまり状態になったＰコンを除去するための工学的技術の配慮はなかった。【０００３】    生コンクリートの打設時にかけるバイブレーターの振動でホームタイがゆるみ、せき板とプラスチックコーンの間にすき間ができてコーンの内部にコンクリートが流入して目づまりの状態になるＰコンが全体の２％〜２０％くらい発生する。通常のＰコンは電動インパクトレンチをコーンの内部にさしこんで１個あたり５秒前後で取って袋に収納する。しかし、コンクリートによって目づまりをしたＰコンはポンチや小バールをコーン内部にハンマーでかちこんでコンクリートをとり除き、Ｐコンレンチをさし込んで手作業で除去しなければならない。時間がかかる。【０００４】    解体工の中には、目づまりＰコンの軸をハンマーでたたき折ったり、軸をたたき曲げて回転させて除去をする者もいるが、この方法もわりと時間がかかる。軸を折りとるとプラスチックコンと金属軸の基礎部分が壁の中に残りコンクリートのかぶりも浅くなるので壁内のサビの進行が早くなる可能性がある。【０００５】    また、自社口径式のクイックレンチで軸をつかんで回し取る方法もあるが、市販されているＰコン除去用クイックレンチはＰコンを５コか６コとると歯が磨滅して使いものにならなくなる。現在のＰコンは軸が丸いので空まわりをする。解体工でこれを使用する者はほとんどいない。
【発明の開示】
【発明が解決しようとする課題】
【０００６】    以上にのべた目づまりＰコンの除去方法では解体工が１日中、Ｐコンの除去作業のみを行なった場合、全体の２％〜２０％発生する目づまりＰコンを除去するのに１０分の１から３分の１人工を割かなければならない。解体工の３分の１人工を他の作業に換算すると３ＤＫマンションの一所帯分の型枠パイプ、ホームタイ、サポート、チェーンの解体と整理をする人工に相当する。本発明は、この、目づまりＰコンの除去作業に時間がかかりすぎる問題を解決するものである。
【課題を解決するための手段】
【０００７】    本発明はＰコン軸がせき板の孔を貫通する部分に解体工が常用している４つ口のホームタイスパナが掛けられるようにスパナ掛け部を設けたものである。
【発明の効果】
【０００８】    本発明のＰコン軸のせき板孔の貫通部分にスパナ掛け部があるＰコンは目づまりＰコンの除去時間が従来の１０分の１から２０分の１ほどに短縮できる。【０００９】    Ｐコンの軸にスパナ掛け部を設けただけで１日当たり、３ＤＫマンションのパイプ、サポート、ホームタイ、チェーンの解体整理をするのに相当する人工の利益があがる計算になる。【００１０】    また、打ち放しコンクリートの壁面に目づまりＰコンがあっても壁面を破損することなく残留部分を出さずに迅速に除去するとこができる。
【発明を実施するための最良の形態】
【００１１】    以下、本発明の実施の形態を図１〜図５にもとづいて説明する。【００１２】    図１はスパナ掛け部を設けたＰコン軸の斜視図。１は軸がせき板の孔を通過する部分で、ここに解体工が常用するホームタイスパナが掛かるように６角軸を形成する。【００１３】図２は、図１の６角軸の断面図。Ｐコン軸の太さは使途によって直径８ｍｍ軸直径９ｍｍ軸などがあるが、直径８ｍｍ軸は口径８ｍｍのスパナが掛けやすいようにやや細くして６角の角の張り出し部で強度を確保する。直径９ｍｍの軸は口径１０ｍｍのスパナが掛かるようにやや太くして６角軸を形成し、ネジ部との間にはのり面をつけてせき板の孔を通しやすい形状にする。その６角形の斜辺は１０ｍｍのスパナがかかりせき板の孔を通しやすい最小の寸法にする。また、ホームタイスパナに口径９ｍｍ部を新設すれば、９ｍｍ軸をやや細くすればよいので太くする必要はない。【００１４】図３、図４はＰコン軸がせき板の孔を貫通する部分のスパナ掛け部の横断面が長円形状。スパナの口径８ｍｍまたは７ｍｍ部が掛かるように従来のＰコン軸の直径９ｍｍまたは８ｍｍをへこませてその分を横にひろげて軸の強度を確保して軸を回転できるようにする。【００１５】図１の６角軸タイプも図３、４の横断面長円形軸タイプも目づまりＰコンの除去が容易にできるが、６角軸タイプは将来、解体用の電動インパクトレンチのソケットにφ１０ｍｍ、φ８ｍｍのものを製造して適合させることもできる。
【産業上の利用可能性】
【００１６】上述したように本発明の除去用スパナ掛け部付きＰコンは、現場での工程進行、を早める。関連する左官工事のＰコン除去後の壁面仕上げ型枠工事と解体工事との関係も、１０分の１人工から３分の１人工ほど早く、有利に進めることができる。
【図面の簡単な説明】
【００１７】
【図１】本発明の実施形態を示す、せき板の孔の貫通部分に６角軸形状のスパナ掛け部を設けたＰコンの斜視図。
【図２】６角軸形のスパナ掛け部とせき板の孔の断面図。
【図３】軸のせき板孔貫通部分を口径８ｍｍまたは７ｍｍのスパナが掛かるようにへこませたＰコンの側面図。
【図４】図３の軸のせき板孔貫通部分をへこませた分を横に同心円でひろげて強度を確保した断面が長円形状のスパナ掛け部をもつＰコンの側面図。
【図５】図３、図４のスパナ掛け部５の長円形状軸の断面拡大図。
【符号の説明】
【００１８】１せき板孔貫通部分の軸の６角軸形状のスパナ掛け部
２ホームタイとの接続ネジ部
３  プラスチックコーン
４  せき板
ａ  ６角軸の直径
ｂ  ６角軸の斜辺
ｃ  せき板の孔
５  せき板孔貫通部分の軸が横断面長円形状のスパナ掛け部
６  従来の軸の断面寸法  破線。
７  従来の軸をへこませた部分、斜線。
８  従来の軸より張り出させた部分、円弧。
【手続補正３】
【補正対象書類名】図面
【補正対象項目名】全図
【補正方法】変更
【補正の内容】
【図１】
2008196297.tif 000005
【図２】
2008196297.tif 000006
【図３】
2008196297.tif 000007
【図４】
2008196297.tif 000008
【図５】
2008196297.tif 000009